(57)【要約】【課題】複数のデータベースから検索された複数の施設情報の各々の取得元を、ユーザが容易に把握できるようにすること。【解決手段】検索要求を受信する検索要求受信部と、前記検索要求に基づいて第１のデータベースから検索された第１の施設情報を取得する第１取得部と、前記検索要求に基づいて第２のデータベースから検索された第２の施設情報を取得する第２取得部と、前記第１の施設情報と前記第２の施設情報とを互いに区別可能に表示させる表示制御部とを備える。【選択図】図１
2019003285.tif 000002
【特許請求の範囲】
【請求項１】
検索要求を受信する検索要求受信部と、
前記検索要求に基づいて第１のデータベースから検索された第１の施設情報を取得する第１取得部と、
前記検索要求に基づいて第２のデータベースから検索された第２の施設情報を取得する第２取得部と、
前記第１の施設情報と前記第２の施設情報とを互いに区別可能に表示させる表示制御部と
を備える、情報表示装置。
【請求項２】
前記第２の施設情報は、ウェブサイトで提供される文書から抽出された、施設名および住所を少なくとも含む施設情報であり、
前記表示制御部は、前記第２の施設情報がウェブサイトで提供される文書から抽出された施設情報であることを識別できるように表示させる
請求項１に記載の情報表示装置。
【請求項３】
前記表示制御部は、前記第２の施設情報の表示データに対し、当該第２の施設情報に関連するウェブサイトを表す情報を含めて表示させる、
請求項２に記載の情報表示装置。
【請求項４】
前記表示制御部は、前記第２の施設情報の表示データに対し、ウェブサイトで提供される文書から抽出された施設情報であることを示す所定のアイコンを含めて表示させる、
請求項２または３に記載の情報表示装置。
【請求項５】
前記表示制御部は、前記第１の施設情報および前記第２の施設情報を含むリストに表示される、前記第２の施設情報の表示データに対し、前記所定のアイコンを含めて表示させる、
請求項４に記載の情報表示装置。
【請求項６】
検索要求を受信する検索要求受信部と、
前記検索要求に基づいて第１のデータベースから検索された第１の施設情報を取得する第１取得部と、
前記検索要求に基づいて第２のデータベースから検索された第２の施設情報を取得する第２取得部と、
前記第１の施設情報と前記第２の施設情報とを互いに区別可能に表示させる表示制御部と
を備える、情報表示システム。
【発明の詳細な説明】
【技術分野】
【０００１】
本発明は、情報表示装置および情報表示システムに関する。
【背景技術】
【０００２】
従来より、ユーザが入力した検索条件に合致する施設情報（例えば、施設名、住所、電話番号、郵便番号、キーワード等）をデータベースから検索し、当該施設情報をユーザに提供することが可能な情報提供装置が知られている。このような情報提供装置の中には、複数のデータベースから検索された複数の施設情報を、共通の態様で表示することが可能なものがある。
【０００３】
例えば、下記特許文献１には、移動端末において、自身の記憶手段に記憶されているデータベースにて管理されている登録済施設情報、および外部のコンテンツサーバのデータベースにて管理されている登録済施設情報のリストを、共通の態様にて表示する技術が開示されている。
【先行技術文献】
【特許文献】
【０００４】
【特許文献１】特開２０１３−２４６４６９号公報
【発明の概要】
【発明が解決しようとする課題】
【０００５】
しかしながら、従来の技術では、共通の態様にて表示された複数の施設情報の各々について、当該施設情報の取得元をユーザが容易に把握することができない。このため、例えば、従来の技術では、同じ施設の施設情報が、複数のデータベースの各々から検索された場合、これら複数の施設情報が共通の態様にて表示されると、ユーザがいずれの施設情報を選択すればよいのか判断できずに困惑する虞がある。
【０００６】
本発明は、上述した従来技術の課題を解決するため、複数のデータベースから検索された複数の施設情報の各々の取得元を、ユーザが容易に把握できるようにすることを目的とする。
【課題を解決するための手段】
【０００７】
本開示の一態様の情報表示装置は、検索要求を受信する検索要求受信部と、前記検索要求に基づいて第１のデータベースから検索された第１の施設情報を取得する第１取得部と、前記検索要求に基づいて第２のデータベースから検索された第２の施設情報を取得する第２取得部と、前記第１の施設情報と前記第２の施設情報とを互いに区別可能に表示させる表示制御部とを備える。
【０００８】
これにより、第１の施設情報と第２の施設情報とが互いに区別可能に表示される。したがって、第１の施設情報および第２の施設情報の各々の取得元を、ユーザが容易に把握することができる。
【０００９】
本開示の一態様の情報表示装置において、前記第２の施設情報は、ウェブサイトで提供される文書から抽出された、施設名および住所を少なくとも含む施設情報であってもよく、前記表示制御部は、前記第２の施設情報がウェブサイトで提供される文書から抽出された施設情報であることを識別できるように表示させてもよい。
【００１０】
これにより、第２の施設情報が、ウェブサイトで提供される文書から抽出された施設情報であることを識別可能な態様で表示される。したがって、第２の施設情報がウェブサイトで提供される文書から抽出された施設情報であることを、ユーザが容易に把握することができる。
【００１１】
本開示の一態様の情報表示装置において、前記表示制御部は、前記第２の施設情報の表示データに対し、当該第２の施設情報に関連するウェブサイトを表す情報を含めて表示させてもよい。
【００１２】
これにより、第２の施設情報が、関連するウェブサイトを表す情報を含んで表示される。したがって、第２の施設情報がウェブサイトで提供される文書から抽出された施設情報であることを、ユーザが容易に把握することができる。加えて、関連するウェブサイトへのアクセスが容易なものとなり、当該ウェブサイトからの情報取得をユーザが容易に行うことができる。
【００１３】
本開示の一態様の情報表示装置において、前記表示制御部は、前記第２の施設情報の表示データに対し、ウェブサイトで提供される文書から抽出された施設情報であることを示す所定のアイコンを含めて表示させてもよい。
【００１４】
これにより、第２の施設情報が、ウェブサイトで提供される文書から抽出された施設情報であることを示す所定のアイコンを含んで表示される。したがって、第２の施設情報がウェブサイトで提供される文書から抽出された施設情報であることを、ユーザが容易に把握することができる。
【００１５】
本開示の一態様の情報表示装置において、前記表示制御部は、前記第１の施設情報および前記第２の施設情報を含むリストに表示される、前記第２の施設情報の表示データに対し、前記所定のアイコンを含めて表示させてもよい。
【００１６】
これにより、第１の施設情報および第２の施設情報を含むリストが表示される際に、当該リストにおける第２の施設情報に対し、所定のアイコンが表示される。したがって、第１の施設情報および第２の施設情報を含むリストにおいて、第２の施設情報がウェブサイトで提供される文書から抽出された施設情報であることを、ユーザが容易に把握することができる。
【００１７】
本開示の一態様の情報表示システムは、検索要求を受信する検索要求受信部と、前記検索要求に基づいて第１のデータベースから検索された第１の施設情報を取得する第１取得部と、前記検索要求に基づいて第２のデータベースから検索された第２の施設情報を取得する第２取得部と、前記第１の施設情報と前記第２の施設情報とを互いに区別可能に表示させる表示制御部とを備える。
【００１８】
これにより、第１の施設情報と第２の施設情報とが互いに区別可能に表示される。したがって、第１の施設情報および第２の施設情報の各々の取得元を、ユーザが容易に把握することができる。
【発明の効果】
【００１９】
複数のデータベースから検索された複数の施設情報の各々の取得元を、ユーザが容易に把握することができる。
【図面の簡単な説明】
【００２０】
【図１】実施形態に係る情報表示システムの機能構成を示す図である。
【図２】実施形態に係るセンターサーバおよび車両用装置による処理の手順を示すシーケンス図である。
【図３】実施形態に係る車両用装置による施設情報のリストの表示例を示す図である。
【図４】実施形態に係る車両用装置による施設情報の詳細情報の表示例を示す図である。
【発明を実施するための形態】
【００２１】
以下、図面を参照して、本発明の実施形態の情報表示システムについて説明する。
【００２２】
（情報表示システム１０の機能構成）
図１は、実施形態に係る情報表示システム１０の機能構成を示す図である。図１に示す情報表示システム１０は、センターサーバ１００および車両用装置１５０を備えて構成されており、センターサーバ１００から車両用装置１５０に対して、ネットワーク１４０を介して、施設情報等の情報提供ができるようになされたシステムである。なお、図１では、１台の車両用装置１５０を示しているが、実際には、情報表示システム１０は、複数の車両用装置１５０（いずれも、図１に示す車両用装置１５０と同様の構成を有する）を備えている。すなわち、センターサーバ１００は、複数の車両用装置１５０に対して情報提供が可能である。
【００２３】
センターサーバ１００は、「情報提供装置」の一例である。センターサーバ１００は、車両の外部の施設（例えば、情報提供サービスの提供会社が管理する施設）内に設置される装置である。センターサーバ１００は、ネットワーク１４０に接続されている。ネットワーク１４０としては、例えば、インターネット、公衆無線回線等が挙げられる。センターサーバ１００は、ネットワーク１４０を介して、車両用装置１５０に施設情報を提供することが可能である。
【００２４】
図１に示すように、センターサーバ１００は、独自整備情報ＤＢ１１１、クローリング取得情報ＤＢ１１２、検索要求受信部１２１、第１検索部１２２、第２検索部１２３、表示データ編集部１２４、および検索結果送信部１２５を備える。
【００２５】
独自整備情報ＤＢ１１１は、「第１のデータベース」の一例である。独自整備情報ＤＢ１１１は、複数の第１の施設情報を記憶する。第１の施設情報とは、センターサーバ１００自身が管理する施設情報である。例えば、独自整備情報ＤＢ１１１が記憶する複数の第１の施設情報は、地図ソフトウェアによって外部から提供される。第１の施設情報は、独自整備情報ＤＢ１１１に記憶されると、殆ど更新されない固定的な情報である。
【００２６】
クローリング取得情報ＤＢ１１２は、「第２のデータベース」の一例である。クローリング取得情報ＤＢ１１２は、複数の第２の施設情報を記憶する。第２の施設情報とは、ウェブサイトで提供される文書から抽出された施設情報である。具体的には、センターサーバ１００は、公知のＷＥＢクローリングを行うことによって、インターネット上のウェブサイトで提供される文書から施設情報を抽出し、当該施設情報をクローリング取得情報ＤＢ１１２へ登録および更新する。すなわち、第２の施設情報は、クローリング取得情報ＤＢ１１２記憶された後も、ウェブサイトで提供される文書から定期的（例えば、１日毎）に抽出されて、クローリング取得情報ＤＢ１１２に登録または更新される動的な情報である。なお、クローリング取得情報ＤＢ１１２への第２の施設情報の登録および更新は、センターサーバ１００の外部の装置によって行われてもよい。
【００２７】
第１の施設情報および第２の施設情報は、施設名、ジャンル、住所、電話番号、郵便番号、キーワード、位置情報（緯度および経度）、詳細テキスト情報、画像等を含んでいる。また、第２の施設情報は、さらに、関連するウェブサイト（例えば、当該施設情報の取得元のウェブサイト、当該施設情報に対応する施設のウェブサイト等）のＵＲＬ（Uniform Resource Locator）を含んでいる。
【００２８】
検索要求受信部１２１は、車両用装置１５０から施設情報の検索要求が送信されると、当該検索要求を受信する。当該検索要求には、入力受付部１６１によって受け付けられた施設情報の検索条件（例えば、ジャンル、名称、電話番号、地域、現在地周辺検索の適否等）、および、ＧＰＳ１５３によって検知された車両の現在位置等が含まれる。
【００２９】
第１検索部１２２は、検索要求受信部１２１によって施設情報の検索要求が受信されると、当該検索要求に含まれている検索条件に合致する第１の施設情報を、独自整備情報ＤＢ１１１から検索する。
【００３０】
第２検索部１２３は、検索要求受信部１２１によって施設情報の検索要求が受信されると、当該検索要求に含まれている検索条件に合致する第２の施設情報を、クローリング取得情報ＤＢ１１２から検索する。
【００３１】
表示データ編集部１２４は、第１検索部１２２によって独自整備情報ＤＢ１１１から検索された第１の施設情報と、第２検索部１２３によってクローリング取得情報ＤＢ１１２から検索された第２の施設情報とが、互いに区別可能に表示されるように、第１の施設情報および第２の施設情報の少なくともいずれか一方の表示データを編集する。
【００３２】
例えば、表示データ編集部１２４は、第２の施設情報の表示データに対し、当該第２の施設情報に関連するウェブサイトのＵＲＬ（「ウェブサイトを表す情報」の一例）を含める。これにより、車両用装置１５０において当該第２の施設情報が表示されたとき、当該第２の施設情報とともに当該第２の施設情報に関連するウェブサイトのＵＲＬが表示されることとなる。したがって、ユーザは、当該第２の施設情報がウェブサイトで提供される文書から抽出された施設情報であることを容易に識別することができる。
【００３３】
また、例えば、表示データ編集部１２４は、第２の施設情報の表示データに対し、ウェブサイトで提供される文書から抽出された施設情報であることを示す所定のアイコンを含める。これにより、車両用装置１５０において当該第２の施設情報が表示されたとき、当該第２の施設情報とともに所定のアイコンが表示されることとなる。したがって、ユーザは、当該第２の施設情報がウェブサイトで提供される文書から抽出された施設情報であることを容易に識別することができる。
【００３４】
検索結果送信部１２５は、第１検索部１２２によって独自整備情報ＤＢ１１１から検索された第１の施設情報と、第２検索部１２３によってクローリング取得情報ＤＢ１１２から検索された第２の施設情報とを、ネットワーク１４０を介して、車両用装置１５０へ送信する。ここで、検索結果送信部１２５は、第２検索部１２３によってクローリング取得情報ＤＢ１１２から検索された第２の施設情報については、表示データ編集部１２４による表示データの編集がなされた後のものを送信する。
【００３５】
なお、センターサーバ１００は、ＣＰＵ（Central Processing Unit）、主記憶装置（例えば、ＲＯＭ（Read Only Memory）、ＲＡＭ（Random Access Memory）等）、補助記憶装置（例えば、ＨＤＤ（Hard Disk Drive）、フラッシュメモリ等）等のハードウェアを備えて構成されている。図１に示したセンターサーバ１００の各機能は、例えば、センターサーバ１００において、主記憶装置または補助記憶装置に記憶されているプログラムをＣＰＵが実行することによって実現される。
【００３６】
また、センターサーバ１００は、物理的に１台の情報処理装置によって構成されてもよく、物理的に複数台の情報処理装置によって構成されてもよい。後者の場合、複数台の情報処理装置は、ネットワークを介して互いに接続されたものであってもよい。
【００３７】
車両用装置１５０は、「情報表示装置」の一例である。車両用装置１５０は、自動車等の車両に搭載される装置である。車両用装置１５０は、ネットワーク１４０を介して、センターサーバ１００から施設情報を受信し、当該施設情報を表示することが可能である。
【００３８】
また、車両用装置１５０は、複数の施設情報を表示した後、複数の施設情報の中からユーザによって選択された一の施設情報の所在地を目的地として、車両の現在位置から当該目的地までの経路を探索し、当該経路を用いた経路案内を行うことができる。すなわち、車両用装置１５０は、いわゆるナビゲーション装置としての機能を有する。なお、車両の現在位置から目的地までの経路は、センターサーバ１００が検索して、センターサーバ１００から車両用装置１５０に提供されるようにしてもよい。
【００３９】
図１に示すように、車両用装置１５０は、施設情報の検索および表示に関わる装置として、入力装置１５１、表示装置１５２、ＧＰＳ（Global Positioning System）１５３、および制御装置１６０を備える。
【００４０】
入力装置１５１は、ユーザが、各種情報（例えば、施設情報の検索条件等）を入力する際に用いる装置である。入力装置１５１としては、例えば、タッチパネル、操作ボタン、十字キー、音声入力装置（マイク）等が挙げられる。表示装置１５２は、各種情報（例えば、検索条件の入力画面、施設情報の検索結果等）を表示する装置である。表示装置１５２としては、例えば、液晶ディスプレイ、有機ＥＬディスプレイ等が挙げられる。ＧＰＳ１５３は、ＧＰＳ衛星から受信したＧＰＳ信号に基づいて、車両の現在位置（経度および緯度）を検知する。
【００４１】
制御装置１６０は、施設情報を検索および表示する際に、表示装置１５２側の処理を制御する装置である。図１に示すように、制御装置１６０は、入力受付部１６１、検索要求送信部１６２、検索結果受信部１６３、および表示制御部１６４を備える。
【００４２】
入力受付部１６１は、入力装置１５１による、施設情報の検索条件（例えば、ジャンル、名称、電話番号、地域、現在地周辺検索の適否等）の入力を受け付ける。
【００４３】
検索要求送信部１６２は、施設情報の検索要求を、ネットワーク１４０を介して、センターサーバ１００へ送信する。施設情報の検索要求には、入力受付部１６１によって受け付けられた施設情報の検索条件、および、ＧＰＳ１５３によって検知された車両の現在位置等が含まれる。
【００４４】
検索結果受信部１６３は、センターサーバ１００において複数の施設情報が検索されると、当該複数の施設情報を、ネットワーク１４０を介して、センターサーバ１００から受信する。検索結果受信部１６３は、第１取得部１６３Ａおよび第２取得部１６３Ｂを有する。第１取得部１６３Ａは、独自整備情報ＤＢ１１１から検索された第１の施設情報を取得する。第２取得部１６３Ｂは、クローリング取得情報ＤＢ１１２から検索された第２の施設情報を取得する。
【００４５】
表示制御部１６４は、検索結果受信部１６３によって受信された複数の施設情報を、表示装置１５２に表示させる。例えば、表示制御部１６４は、検索結果受信部１６３によって受信された複数の施設情報のリストを、表示装置１５２に表示させる。また、例えば、表示制御部１６４は、表示装置１５２に表示されたリストの中から、入力装置１５１を用いて任意の施設情報が選択された場合、その施設情報の詳細情報を、表示装置１５２に表示させる。
【００４６】
ここで、表示制御部１６４は、第１の施設情報と第２の施設情報とを互いに区別可能に表示させる。例えば、表示制御部１６４は、第２の施設情報の表示データに対し、ウェブサイトで提供される文書から抽出された施設情報であることを示す所定のアイコンを含めて表示させる。また、例えば、表示制御部１６４は、第２の施設情報の表示データに対し、当該第２の施設情報に関連するウェブサイトのＵＲＬを含めて表示させる。また、例えば、表示制御部１６４は、複数の施設情報のリストを表示する際、当該リストに表示される第２の施設情報の表示データに対し、ウェブサイトで提供される文書から抽出された施設情報であることを示す所定のアイコンを含めて表示させる。
【００４７】
なお、制御装置１６０は、ＣＰＵ、主記憶装置（例えば、ＲＯＭ、ＲＡＭ等）、補助記憶装置（例えば、ＨＤＤ、フラッシュメモリ等）等のハードウェアを備えて構成されている。図１に示した制御装置１６０の各機能は、例えば、制御装置１６０において、主記憶装置または補助記憶装置に記憶されているプログラムをＣＰＵが実行することによって実現される。
【００４８】
（センターサーバ１００および車両用装置１５０による処理の手順）
図２は、実施形態に係るセンターサーバ１００および車両用装置１５０による処理の手順を示すシーケンス図である。図２の処理は、例えば、車両用装置１５０において、施設情報の検索処理を開始するための所定の実行操作がユーザからなされると、開始される。
【００４９】
まず、車両用装置１５０において、入力受付部１６１が、入力装置１５１による、施設情報の検索条件の入力を受け付ける（ステップＳ２０１）。次に、検索要求送信部１６２が、施設情報の検索要求を、ネットワーク１４０を介して、センターサーバ１００へ送信する（ステップＳ２０２）。この検索要求には、ステップＳ２０１で受け付けられた検索条件等が含まれている。
【００５０】
センターサーバ１００において、検索要求受信部１２１が、ステップＳ２０２で送信された検索要求を受信すると（ステップＳ２０３）、第１検索部１２２が、ステップＳ２０３で受信された検索要求に含まれている検索条件に合致する第１の施設情報を、独自整備情報ＤＢ１１１から検索する（ステップＳ２０４）。
【００５１】
また、第２検索部１２３が、ステップＳ２０３で受信された検索要求に含まれている検索条件に合致する第２の施設情報を、クローリング取得情報ＤＢ１１２から検索する（ステップＳ２０５）。そして、表示データ編集部１２４が、ステップＳ２０４で検索された第１の施設情報と、ステップＳ２０５で検索された第２の施設情報とが互いに区別可能に表示されるように、ステップＳ２０５で検索された第２の施設情報の表示データを編集する（ステップＳ２０６）。
【００５２】
続いて、検索結果送信部１２５が、ステップＳ２０４で検索された第１の施設情報と、ステップＳ２０６で表示データが編集された第２の施設情報とを含む複数の施設情報を、ネットワーク１４０を介して、車両用装置１５０へ送信する（ステップＳ２０７）。
【００５３】
車両用装置１５０において、検索結果受信部１６３が、ステップＳ２０７で送信された複数の施設情報を受信すると（ステップＳ２０８）、表示制御部１６４が、ステップＳ２０８で受信された複数の施設情報のリストを、表示装置１５２に表示させる（ステップＳ２０９）。
【００５４】
続いて、表示制御部１６４が、ステップＳ２０９で表示装置１５２に表示された複数の施設情報のリストの中から、いずれかの施設情報が選択されたか否かを判断する（ステップＳ２１０）。ステップＳ２１０において、いずれの施設情報も選択されていないと判断された場合（ステップＳ２１０：Ｎｏ）、表示制御部１６４は、ステップＳ２１０の判断処理を再度実行する。
【００５５】
一方、ステップＳ２１０において、いずれかの施設情報が選択されたと判断された場合（ステップＳ２１０：Ｙｅｓ）、表示制御部１６４は、ステップＳ２１０で選択された施設情報の詳細情報を表示装置１５２に表示させる（ステップＳ２１１）。そして、図２に示す一連の処理は終了する。
【００５６】
（施設情報のリストの表示例）
図３は、実施形態に係る車両用装置１５０による施設情報のリストの表示例を示す図である。図３に示す表示画面３００は、車両用装置１５０において、表示制御部１６４の制御により、表示装置１５２に表示されたものである。この表示画面３００は、センターサーバ１００によって検索された複数の施設情報のリストを表示するものである。
【００５７】
例えば、図３に示す例では、表示画面３００には、５件の施設情報３０１〜３０５がリストに表示されている。これらの施設情報３０１〜３０５は、車両用装置１５０において入力された文字列「○○だいげきじょう」を施設名の検索条件として、センターサーバ１００によって検索されたものである。施設情報３０１，３０２，３０４，３０５は、第１検索部１２２によって独自整備情報ＤＢ１１１から検索された第１の施設情報である。一方、施設情報３０３は、第２検索部１２３によってクローリング取得情報ＤＢ１１２から検索された第２の施設情報である。
【００５８】
表示画面３００において、各施設情報３０１〜３０５は、その表示データとして、施設名および住所と、当該施設情報に対応するアイコン３０１ｉ〜３０５ｉとが表示されている。ここで、第１の施設情報である施設情報３０１，３０２，３０４，３０５は、それぞれ、その施設情報のジャンルに対応するアイコン３０１ｉ，３０２ｉ，３０４ｉ，３０５ｉが表示されている。一方、第２の施設情報である施設情報３０３は、表示データ編集部１２４による編集により、その施設情報のジャンルに対応するアイコンに代えて、ウェブサイトで提供される文書から抽出された第２の施設情報であることを表す、所定のアイコン３０３ｉが表示されている。
【００５９】
図３に示す例では、アイコン３０３ｉは、地球のイメージ画像と、文字列「ＵＲＬ」とを含んで構成されている。このアイコン３０３ｉにより、ユーザは、施設情報３０３が、ウェブサイトで提供される文書から抽出された第２の施設情報であることを、視覚的に容易に把握することができる。
【００６０】
（施設情報の詳細情報の表示例）
図４は、実施形態に係る車両用装置１５０による施設情報の詳細情報の表示例を示す図である。図４に示す表示画面４００は、車両用装置１５０において、表示制御部１６４の制御により、表示装置１５２に表示されたものである。この表示画面４００は、センターサーバ１００によって検索された複数の施設情報のうち、ユーザによって選択された一の施設情報の詳細情報を表示するものである。
【００６１】
例えば、図４に示す例では、表示画面４００は、タイトル表示欄４１０と、名称表示欄４２０と、ＵＲＬ表示欄４３０と、詳細情報表示欄４４０と、画像表示欄４５０とを有して構成されている。なお、図４に示す例では、表示画面４００により、施設名が「道の駅××××」である施設の施設情報が表示されている。この施設情報は、第２検索部１２３によってクローリング取得情報ＤＢ１１２から検索された第２の施設情報である。
【００６２】
表示画面４００において、タイトル表示欄４１０には、この表示画面４００が施設情報の表示画面であることを表す文字列「施設情報」が表示される。
【００６３】
また、タイトル表示欄４１０には、当該施設情報がクローリング取得情報ＤＢ１１２から検索された第２の施設情報であることを表す、所定のアイコン４００ｉが表示される。このアイコン４００ｉは、ＷＥＢを想像させる地球のイメージ画像を含んで構成されている。このアイコン４００ｉは、表示データ編集部１２４により、当該施設情報の表示データに含められたものである。このアイコン４００ｉにより、ユーザは、当該施設情報が、ウェブサイトで提供される文書から抽出された第２の施設情報であることを、視覚的に容易に把握することができる。
【００６４】
また、名称表示欄４２０には、当該施設情報の施設名が表示される。例えば、図４の例では、名称表示欄４２０において、当該施設情報の施設名として「道の駅××××」が表示されている。
【００６５】
また、ＵＲＬ表示欄４３０には、当該施設情報に関連するウェブサイトのＵＲＬが表示される。このＵＲＬは、表示データ編集部１２４により、当該施設情報の表示データに含められたものである。このＵＲＬにより、ユーザは、当該施設情報が、ウェブサイトで提供される文書から抽出された第２の施設情報であることを、視覚的に容易に把握することができる。
【００６６】
また、ＵＲＬ表示欄４３０には、「ＵＲＬ」と示された押ボタン４３１が表示されている。この押ボタン４３１は、ＵＲＬ表示欄４３０に表示されているＵＲＬにアクセスするためのボタンである。この押ボタン４３１が押下されると、車両用装置１５０は、ＵＲＬ表示欄４３０に表示されているＵＲＬにアクセスし、このＵＲＬによって特定されるウェブサイトを表示する。
【００６７】
また、詳細情報表示欄４４０には、当該施設情報の詳細テキスト情報が表示される。例えば、図４の例では、詳細情報表示欄４４０において、当該施設情報に対応する施設の、駐車場およびトイレに関する詳細な情報が、テキストで表示されている。
【００６８】
また、画像表示欄４５０には、当該施設情報に対応する施設の代表的な画像が表示される。
【００６９】
以上説明したように、本実施形態に係るセンターサーバ１００によれば、車両用装置１５０から受信した検索要求に基づいて、独自整備情報ＤＢ１１１から検索された第１の施設情報を検索するとともに、クローリング取得情報ＤＢ１１２から第２の施設情報を検索し、車両用装置１５０において、第１の施設情報と第２の施設情報とが互いに区別可能に表示されるように、第２の施設情報の表示データを編集することができる。これにより、車両用装置１５０において、第１の施設情報と第２の施設情報とが互いに区別可能に表示される。したがって、第１の施設情報および第２の施設情報の各々の取得元を、ユーザが容易に把握することができる。
【００７０】
特に、本実施形態に係るセンターサーバ１００によれば、第２の施設情報がウェブサイトで提供される文書から抽出された施設情報であることを識別できるように、第２の施設情報の表示データを編集することができる。これにより、車両用装置１５０において、第２の施設情報が、ウェブサイトで提供される文書から抽出された施設情報であることを識別可能な態様で表示される。したがって、第２の施設情報がウェブサイトで提供される文書から抽出された施設情報であることを、ユーザが容易に把握することができる。
【００７１】
さらに、本実施形態に係るセンターサーバ１００によれば、第２の施設情報の表示データに対し、第２の施設情報に関連するウェブサイトのＵＲＬと、ウェブサイトで提供される文書から抽出された施設情報であることを示す所定のアイコンとを含めることができる。これにより、車両用装置１５０において、第２の施設情報が、関連するウェブサイトのＵＲＬと、ウェブサイトで提供される文書から抽出された施設情報であることを示す所定のアイコンとを含んで表示される。したがって、第２の施設情報がウェブサイトで提供される文書から抽出された施設情報であることを、ユーザが容易に把握することができる。加えて、関連するウェブサイトへのアクセスが容易なものとなり、当該ウェブサイトからの情報取得をユーザが容易に行うことができる。
【００７２】
以上、本発明の好ましい実施形態について詳述したが、本発明はこれらの実施形態に限定されるものではなく、特許請求の範囲に記載された本発明の要旨の範囲内において、種々の変形又は変更が可能である。
【００７３】
実施形態では、第１の施設情報と第２の施設情報とを互いに区別可能に表示するために、第２の施設情報の表示データのみを編集するようにしているが、これに限らない。例えば、第２の施設情報および第１の施設情報の双方を編集するようにしてもよい。また、例えば、第１の施設情報のみを編集するようにしてもよい。
【００７４】
また、実施形態では、第１の施設情報と第２の施設情報とを互いに区別可能に表示するための表示データの編集方法として、第２の施設情報の表示データに所定のアイコンを含める方法と、第２の施設情報の表示データに関連するウェブサイトのＵＲＬを含める方法とを用いているが、これに限らない。例えば、第２の施設情報の表示データに対し、第１の施設情報の表示色とは異なる表示色を設定するようにしてもよい。
【符号の説明】
【００７５】
１０  情報表示システム
１００  センターサーバ（情報提供装置）
１１１  独自整備情報ＤＢ（第１のデータベース）
１１２  クローリング取得情報ＤＢ（第２のデータベース）
１２１  検索要求受信部
１２２  第１検索部
１２３  第２検索部
１２４  表示データ編集部
１２５  検索結果送信部
１５０  車両用装置（情報表示装置）
１５１  入力装置
１５２  表示装置
１５３  ＧＰＳ
１６０  制御装置
１６１  入力受付部
１６２  検索要求送信部
１６３  検索結果受信部
１６３Ａ  第１取得部
１６３Ｂ  第２取得部
１６４  表示制御部
【図１】
2019003285.tif 000003
【図２】
2019003285.tif 000004
【図３】
2019003285.tif 000005
【図４】
2019003285.tif 000006